(57)【要約】【課題】重量が軽く小さく、感知器の感度維持や点検者の安全に影響を及ぼし難い、煙感知器の作動を検査する簡易型の試験器及び線香式煙感度試験機に線香の代替を提供する【解決手段】取付けた電子タバコ１３から発生する水蒸気が、手１１でつままれることで伸縮する蛇腹部７により、伸張時に吸い込まて、縮小時に開いた逆止弁２１を経て排出され、案内通気路３５により煙感知器５へ案内されて、煙感知器５を作動させる。煙感知器５には、光電式のものと、イオン化式のものが存在するが、その仕組みから、共に、煙以外に、水蒸気でも作動ので、十分に作動する。ガスボンベの代わりに電子タバコ１３を利用するので、試験器の重量が軽く小さい。また、電子タバコ１３からの水蒸気によって煙感知器５を作動させるので、感知器の機能維持や点検者の安全に影響を及ぼし難い。【選択図】図１
2013025431.tif 000002
【特許請求の範囲】
【請求項１】
煙感知器が作動するか否かを試験する試験器において、電子タバコの水蒸気の発生端を取付ける取付部と、この取付部から前記水蒸気を吸い込むための蛇腹部と、この蛇腹部から前記水蒸気を排出する排出側に設けられた逆止弁と、この排出側から前記煙感知器まで前記水蒸気を案内する案内通気路と、を有することを特徴とする簡易型煙感知器試験器。    
【請求項２】
前記案内通気路は、第１通気路であるチューブと、この第１通気路に連通し支持棒に支持された第２通気路と、この第２通気路の先端に設けられ前記煙感知器を覆うための拡径部と、を有することを特徴とする請求項１に記載の簡易型煙感知器試験器。
【発明の詳細な説明】
【技術分野】
【０００１】
この発明は、建物室内の天井などに設けられる煙感知器が作動するか否かを試験する試験器の構造に関する。
【背景技術】
【０００２】
建物室内の天井などに設けられる煙感知器は、火災の被害を最小に抑えるために重要であり、近年広い範囲で、設置が義務づけられる。
新設した煙感知器が正しく作動するかを検査したり、既設の煙感知器が作動するか検査したりするには、試験器が用いられる。既存の煙感知器は年に1回感度試験が義務付けられている。この試験器は、煙の代わりになる試験用ガスを噴射する高圧のガスボンベを備える。例えば、下記特許文献１には、ガスボンベから噴射される試験用ガスがチューブ内を通り、煙感知器を覆う密閉空間内に充満して、試験を行う技術が開示される。
また、線香の煙を用いて試験を行なう試験機もある。すなわち、煙感知器線香式感度試験機といい、試験機の備える容器内に、煙感知器を配置し、この容器に設けられた窓から、煙の出ている線香を挿入して、容器内に煙を充満させ、煙感知器が作動するか否かを試験するものである。
【先行技術文献】
【特許文献】
【０００３】
【特許文献１】特開2010-079828
【発明の概要】
【発明が解決しようとする課題】
【０００４】
しかしながら、高圧のガスボンベは重量があり大きく、このため試験器全体が持運びに不便である。また、試験用ガスは、火災時の煙を擬したものであり、ＨＦＣ-134aを使用するため直接皮膚に触れると凍傷になる恐れがある。煙感知器内部に、この試験用ガス成分が付着すると、ホコリを吸着し、煙感知器の感度に影響を及ぼしやすい。
また、煙感知器線香式感度試験機は、線香を使用するため、試験機から洩れる煙が立込め、室内では使用しづらい。
この発明は、以上の問題点を解決するために、重量が軽く小さく、作業者の安全に影響を及ぼし難く、煙感知器の感度維持ができ、室内でも使用し易い簡易型の試験器を提供することを目的とする。
【課題を解決するための手段】
【０００５】
以上の課題を解決するために、第一発明は、煙感知器が作動するか否かを試験する試験器において、電子タバコの水蒸気の発生端を取付ける取付部と、この取付部から前記水蒸気を吸い込むための蛇腹部と、この蛇腹部から前記水蒸気を排出する排出側に設けられた逆止弁と、この排出側から前記煙感知器まで前記水蒸気を案内する案内通気路と、を有することを特徴とする簡易型煙感知器試験器である。
【０００６】
第二発明は、さらに、前記案内通気路は、第１通気路であるチューブと、この第１通気路に連通し支持棒に支持された第２通気路と、この第２通気路の先端に設けられ前記煙感知器を覆うための拡径部と、を有することを特徴とする簡易型煙感知器試験器である。
【発明の効果】
【０００７】
第一、又は第二発明によれば、電子タバコから発生する水蒸気が、手でつままれることで伸縮する蛇腹部により、伸張時に吸い込まて、縮小時に開いた逆止弁を経て排出され、案内通気路により煙感知器へ案内されて、煙感知器を作動させる。煙感知器には、光電式のものと、イオン化式のものが存在するが、その仕組みから、共に、煙以外に、水蒸気でも作動する。ガスボンベの代わりに電子タバコを利用するので、試験器の重量が軽く小さい。
また、電子タバコからの水蒸気によって煙感知器を作動させるので、煙感知器の感度維持が可能であり、また、無害の水蒸気により点検者の安全に影響を及ぼし難い。また、蛇腹部の働きにより、長い案内通気路を通って水蒸気を案内できる。
【０００８】
第二発明によれば、さらに、天井に設けられた煙感知器の試験を行なう際に、支持棒に支持された第２通気路の先端に設けられた拡径部により煙感知器を覆うため、電子タバコからの水蒸気を効率よく煙感知器に案内することができる。また、支持棒の下端を、作業者が手で持つことで、高い天井の煙感知器にも、水蒸気を案内することができる。
また、第１通気路がチューブであることから、チューブの柔軟さにより、支持棒に対する蛇腹部の位置を容易に変更でき、蛇腹部をつまむ業がしやすく、検査が容易である。
【図面の簡単な説明】
【０００９】
【図１】この発明の一実施形態を示す試験器で、（Ａ）は全体図、（Ｂ）は（Ａ）の逆止弁の拡大断面図、（Ｃ）は（Ｂ）の動作を説明する説明図である。
【図２】図１（Ａ）を用いて作業を行なう様子を示した全体図である。
【発明を実施するための形態】
【００１０】
この発明の実施形態を、図１及び図２に示す。
この実施形態に係る簡易型煙感知器試験器１は、建物室内の例えば天井３に設けられる煙感知器５が、作動するか否かを試験する試験器である。
図１（Ａ）に示すように、試験器１の下端には、上下に伸縮する蛇腹部７が設けられる。伸縮は、図２に示すように、作業者９が手１１でつまんで行なう。
この蛇腹部７の下端には、電子タバコ１３の水蒸気の発生端１５、すなわち吸い口端を挿入して取付ける取付部１７が設けられる。蛇腹部７は、この取付部１７からの水蒸気を、伸縮により、吸い込み、また排出側１９から排出する。この蛇腹部７の排出側１９すなわち上端には、逆止弁２１が設けられる。吸込みは、蛇腹部７の伸張時にこの逆止弁２１が閉じて行なわれ、排出は、蛇腹部７の縮小時にこの逆止弁２１が開いて行なわれる。
【００１１】
すなわち、図１（Ｂ）（Ｃ）に示すように、逆止弁２１は、厚みのある円盤２３の下に円柱状の嵌合部２５が同心に一体に設けられており、縦断面は、図示するようにＴ字状をなす。円柱状の嵌合部２５は、円筒状の孔２７に嵌合しており、上下動できる。重力によって、円盤２３の下面は弁座２９に密着し、弁が閉じる。蛇腹がつままれ縮むことで押し上げられた空気などにより、逆止弁２１が持ち上がると弁座２９を離れ隙間ができ、弁が開く。空気は、嵌合部２５の側面に形成される縦溝３１や、弁座２９と逆止弁２１との隙間、及び円盤２３の上面に形成される横溝３３を通って、上方へ通過する。
【００１２】
蛇腹部７の排出側１９には案内通気路３５が接続し、水蒸気を煙感知器５まで案内する。案内通気路３５は、第１通気路３７、第２通気路３９、および拡径部４１を有してなる。第１通気路３７である柔軟なチューブは、蛇腹部７の排出側１９に設けられる逆止弁２１の上方に接続される。この第１通気路３７に連通する第２通気路３９は、支持棒４３に支持される。支持棒４３は、作業者９から天井３までの距離に相当する長さを有することが望ましい。この第２通気路３９は、チューブであっても良いし、固い管であっても良い。
【００１３】
この第２通気路３９の先端には拡径部４１が設けられる。この拡径部４１は、ロート状の逆円錐形を有する。この逆円錐形の深さ及び円の広さは、煙感知器５を覆うために十分に大きなものとする。拡径部４１の下端、すなわち頂部は、リンク機構４５により支持棒４３の先端に連結され、リンク機構４５を働かせることで、拡径部４１の角度を変えられる。すなわち、リンク機構４５は、リンクバー４５ａの両端にピン４５ｂ、４５ｃが設けられ、それぞれ、拡径部４１の下端、支持棒４３にピン結合される。
【００１４】
「煙感知器５についての洞察」
現在、煙感知器５には、光電式のものと、イオン化式のものが存在する。このうち光電式は、煙感知器５の９０％を占め、作動の仕組みは、感知器内に暗室が設けられ、その暗室の中で、受光部に送光部から常時、屈折した光が送られていて、煙が、その光を遮断することで作動する。暗室に入り込んで屈折した光を遮断出来るものなら、煙以外でも、水蒸気、大量のホコリでも作動する。
【００１５】
また、煙感知器５の残りの１０％はイオン化式で、煙の粒子がイオンと結合して作動する。この方式でも、煙の粒子に限らず、水蒸気の水粒子でも、作動する。
よって、煙感知器５は、水蒸気でも作動するということが、この発明の発明者によって洞察され、この発明の前提となった。
【００１６】
「電子タバコ１３について」
この発明において、電子タバコ１３とは、巻たばこの形状をしていて、内部の充電池により働く霧化機が、液体を水蒸気にし、その水蒸気を吸い口から吸うことができるものをいう。
【００１７】
この実施形態では、電子タバコ１３は、巻たばこの形状をしていて、筒状の中央４７に充電池が入っており、先端４９には赤いランプ５１が設けられ、吸い口の部分は、着脱できる使い捨てのカートリッジ５３となっている。このカートリッジ５３には、香料などで風味付けされた液体が入っており、充電池とカートリッジ５３の接続部に設けられているアトマイザーと呼ばれる霧化機（図示せず）が、その液体を水蒸気に変えることができる。そして、カートリッジ５３の部分を口にくわえて吸うと、自動的に電源が入り、内部の液体が加熱され、水蒸気の擬似煙となって吸い口から出る。先端４９のランプ５１が、まるでタバコを吸ったときのように明るく光る。充電するときは、充電池の部分を図示しない充電器に差し込む。
【００１８】
「実施形態の効果」
図２に示すように、作業者９は、電子タバコ１３を取付け、支持棒４３の下端を片手に持って、先端の拡径部４１で煙感知器５を覆う。そして、他方の手１１で、蛇腹部７をつまむ。すると、図１に示すように、取付けた電子タバコ１３から発生する水蒸気Ｖが、伸縮される蛇腹部７により、伸張時に吸い込まれて、蛇腹部７に充満する。次に、縮小時に、蛇腹部７の水蒸気Ｖを含む空気により押し上げられて開いた逆止弁２１を経て、排出される。そして、水蒸気Ｖは、案内通気路３５により煙感知器５へ案内されて、煙感知器５を作動させる。このように、蛇腹部７の働きにより、高圧ガス等を用いなくても、長い案内通気路３５を通って水蒸気を案内できる。
【００１９】
また、上記したように、煙感知器５には、光電式のものと、イオン化式のものが存在するが、その仕組みから、共に、煙以外に、水蒸気でも作動する。ガスボンベの代わりに電子タバコ１３を利用するので、試験器の重量が軽く小さい。コンパクトで、ポケットにも収まる。試験のコスト低減にもつながる。
【００２０】
また、電子タバコ１３からの水蒸気によって煙感知器５を作動させるので、室内の空気に影響を及ぼし難い。よって、室内の住人などが居る時でも、試験を実施できる。
また、高圧のガスボンベは車内などに置いておくと、夏期などは車内の温度が上がり、爆発などの危険があるが、この実施形態では、そのような危険は皆無となる。
さらに、拡径部４１により煙感知器５を覆うため、電子タバコ１３からの水蒸気を効率よく煙感知器５に案内することができる。
また、支持棒の下端を、作業者９が手で持つことで、高い天井３の煙感知器５にも、水蒸気を案内することができる。
【００２１】
また、第１通気路３７のチューブの柔軟さにより、支持棒４３に対する蛇腹部７の位置を容易に変更でき、よって、支持棒４３が、作業者９の体のどの位置に支持されていても、蛇腹部７をつまむ業がしやすく、検査が容易である。
また、支持棒４３のリンク機構４５を働かせ、拡径部４１の角度を変えられるので、室内に備えてある例えば机越しに、支持棒を斜めにして天井３の煙感知器５を拡径部４１を覆う際にも、拡径部４１の円の縁が、天井３にピタリと密着でき、水蒸気を効率よく煙感知器５に案内することができる。
また、従来のような重量がある高圧のガスボンベは不要となるため、高所やダクト上部で点検を行なう昇降時の危険を避けられる。
また、従来のように、支持棒とボンベが容易に分割出来ず、このため試験器全体が持運びに不便であるという、不具合もない。
また、試験用ガスとしてＨＦＣ-134aを使用することもなく、凍傷になる恐れがなくなり、この試験用ガス成分が付着しホコリを吸着し煙感知器の感度に影響を及ぼす恐れも排除できる。
また、簡易型煙感知器試験器はポケットに入るため、煙感知器交換時もその場で直ぐ試験ができる。
［他の使用態様］
以上の実施形態における使用態様では、先端の拡径部４１を経て煙感知器５に水蒸気を案内して試験器を使用したが、他の使用態様では、そのような試験器の使用以外に、第1通気路37を外して排出側19を直接煙感知器5に接近させ、水蒸気を案内して使用する、使用態様を併用することもできる。  
また、煙感知器線香式感度試験機において、線香の代わりに、この簡易型煙感知器試験器を使用することができる。すなわち、煙感知器線香式感度試験機の備える容器内に、煙感知器を配置し、この容器の窓へ、線香の代わりに、この簡易型煙感知器試験器の第1通気路37を外して排出側19を直接に、挿入することで、煙感知器まで水蒸気を案内することもできる。これにより、線香の煙やにおいを気にせず室内で煙感知器線香式感度試験機が使用できる。
【符号の説明】
【００２２】
１…簡易型煙感知器試験器、３…天井、５…煙感知器、７…蛇腹部、９…作業者、１１…手、１３…電子タバコ、１５…発生端、１７…取付部、１９…排出側、２１…逆止弁、２３…円盤、２５…嵌合部、２７…孔、２９…弁座、３１…縦溝、３３…横溝、３５…案内通気路、３７…第１通気路、３９…第２通気路、４１…拡径部、４３…支持棒、４５…リンク機構、４７…中央、４９…先端、５１…ランプ、５３…カートリッジ、Ｖ・・水蒸気。
【図１】
2013025431.tif 000003
【図２】
2013025431.tif 000004